(57)【要約】【課題】簡単且つ安価な構成で前面部分を上下に容易に開閉可能であると共に視覚的効果に優れた立体的装飾を形成可能な遊技機を提供する。【解決手段】遊技領域１４を有する本体枠３と、本体枠３の前面側に設けられ且つ遊技領域１４を臨む窓部４１にガラス板４２を装着してなるガラス扉枠４を備えた遊技機１は、ガラス扉枠４前面の少なくとも一部を覆うと共に本体枠３に対して上下に開閉自在に取り付けられた装飾枠６０を備えているので、ガラス扉枠４と装飾枠６０とが前後に重層する構造を形成することにより、強度の向上を図り、不正行為を防止すると共に、視覚的効果に優れた立体的装飾の形成が可能となる。【選択図】図１１
2010259911.tif 000002
【特許請求の範囲】
【請求項１】
遊技領域を有する本体枠と、その本体枠の前面側に設けられ且つ前記遊技領域を臨む窓部に透明板を装着してなる窓枠とを備えた遊技機であって、
前記窓枠の前面の少なくとも一部を覆うと共に前記本体枠に対して上下に開閉自在に取り付けられた装飾枠を備えたことを特徴とする遊技機。
【発明の詳細な説明】
【技術分野】
【０００１】
本発明は、パチンコ遊技機、スロットマシン、パチロット遊技機等の各種の遊技機に関するものである。
【背景技術】
【０００２】
一般に、パチンコ遊技機等の遊技機は、遊技領域を有する遊技盤が内部に組み付けられた本体枠が、矩形状の外枠に着脱自在に取り付けられて構成されている。そして、本体枠には、遊技盤に対して遊技球を発射操作可能な発射ハンドル、余剰球を受ける下皿等が前側（即ち遊技者側）に設けられると共に、遊技盤を透視可能なガラス板を装着した窓枠が開閉自在に取り付けられている。
【０００３】
従来、窓枠には、その表面を覆う成形樹脂が一体的に形成されており、その成形樹脂の表面に所望の色及び形状を施して装飾的効果を奏していた。即ち、成形樹脂は、本体枠 に取り付けられた窓枠表面や本体枠が有する下皿等の各種部品の前側をカバーすべく、遊技機前側の略全面を覆って配設されており、意匠性を向上させていた。
【０００４】
しかしながら、上記従来の遊技機においては、成形樹脂が窓枠と一体的に配設されていたため、遊技機表面における色や形状のみを変更する際には、窓枠全体を交換しなければならず、コストが悪化してしまうという問題があった。即ち、遊技盤やその他の構成部品はそのままで、窓枠の意匠のみを変更し、遊技者に対し常に新鮮な視覚効果を与えようとした場合、窓枠全体の交換を必要とし、材料費や輸送費等におけるコストが嵩んでしまうのである。
【０００５】
このような問題に鑑みて、上皿及び下皿のうち少なくとも一方を覆うとともに窓枠及び本体枠とは別体の装飾カバーを備えたパチンコ遊技機が提案されている（例えば、特許文献１参照。）。このパチンコ遊技機では、装飾カバーの左端側にヒンジが上下一対に取り付けられており、窓枠が取り付けられる本体枠に対して当該装飾カバーを垂直軸心回りに開閉自在に枢着する構成となっている。
【０００６】
一方、遊技盤を覆うガラス扉枠を開閉駆動するための開閉駆動装置を設け、上部を支点としてガラス扉枠を上下に自動で開閉可能とした遊技機が提案されている（例えば、特許文献２参照。）。かかる遊技機によれば、ガラス扉枠の装飾によって重量が増した場合にも、開閉駆動装置によってガラス扉枠を容易に開閉することができる。
【先行技術文献】
【特許文献】
【０００７】
【特許文献１】特開２００３−５２９８３号公報
【特許文献２】特開平９−４７５５７号公報
【発明の概要】
【発明が解決しようとする課題】
【０００８】
しかしながら、上述した特許文献１に記載の従来のパチンコ遊技機は、装飾カバーによって窓枠全体を覆う構成を採用することにより、デザイン変更等に伴って発生するコストの低減を図るものであり、従来よりも視覚的効果に優れた意匠性を提供するものではなかった。また、装飾カバーに立体的な装飾を設けた場合には、装飾カバーが本体枠に対して左端で垂直軸心回りに開閉される構造であるため、装飾カバー開放時に当該遊技機の左側に大きく出っ張って隣席の遊技者の邪魔になるという問題がある。
【０００９】
一方、特許文献２に記載の従来の遊技機では、ガラス扉枠を上下に開閉させるための開閉駆動装置を設けることによって、従来よりもコストが大幅に増大するという問題がある。また、開閉駆動装置が故障により使用できない場合があり得るだけでなく、故障発生を防止するためにメンテナンスを定期的に行う必要があり、遊技機のメンテナンスに伴う労力やコストも増大するという問題がある。さらに、ガラス板が装着されたガラス扉枠を上方へ開放させる構造では、遊技領域のメンテナンス作業等の際に作業者がガラス板に頭をぶつけて怪我をする危険性がある。すなわち、遊技機は遊技ホールにおいて遊技島に設置されるが、この時、遊技機の最上部は床から１４０ｃｍ程度の高さとなる。このため、ガラス扉枠を上方へ開放して略水平に保持した場合、ガラス板が大人の身長よりも低い１４０ｃｍ程度の高さで保持されることになる。従って、作業者が頭を下げて遊技領域のメンテナンス作業等を行っている際、身長よりも低い位置で略水平に保持されたガラス扉枠の真下で作業者が急に頭を持ち上げると、頭がガラス板にぶつかって最悪の場合にはガラス板が割れて大けがをする危険性がある。
【００１０】
解決しようとする課題は、簡単且つ安価な構成で前面部分を上下に容易に開閉可能であると共に視覚的効果に優れた立体的装飾を形成可能な遊技機を提供することである。
【課題を解決するための手段】
【００１１】
（請求項１）遊技領域を有する本体枠と、その本体枠の前面側に設けられ且つ前記遊技領域を臨む窓部に透明板を装着してなる窓枠とを備えた遊技機であって、
前記窓枠の前面の少なくとも一部を覆うと共に前記本体枠に対して上下に開閉自在に取り付けられた装飾枠を備えたことを特徴とする遊技機。
【発明の効果】
【００１２】
本発明によれば、装飾枠により窓枠の前面の少なくとも一部を覆って窓枠と装飾枠とが前後に重層する構造を形成することにより、強度の向上を図り、不正行為を防止すると共に、視覚的効果に優れた立体的装飾の形成が可能となる。また、窓枠と装飾枠とで重量が分担されるので、それぞれの強度を高く設定することは必要とされない。また、装飾枠は重量の大きいガラス板等の透明板を有しないため相対的に軽量であり、小さな力で装飾枠を上下に軽く開閉することができる。よって、電動で装飾枠を開閉するための開閉駆動装置等を設ける必要がなく、遊技機全体の構成が複雑化せず且つコストを低く抑えることができる。また、ガラス板等が装着された窓枠が上方に開放される従来構成では、作業者がガラス板に頭をぶつける危険性があるが、本発明によればそのような危険性はなく、安全性が高い。さらに、装飾枠が本体枠に対して上方又は下方に開放されるので、装飾枠に大型の立体的装飾が施された場合でも、隣の遊技者の邪魔にならずに装飾枠を大きく開放することができる。
【図面の簡単な説明】
【００１３】
【図１】第一の実施形態としてのパチンコ機の正面図である。
【図２】（ａ）はパチンコ機の側面図であり、（ｂ）は装飾枠及びガラス扉枠の上部を側面視して示す断面図である。
【図３】パチンコ機の上面図である。
【図４】パチンコ機の背面側における斜視図である。
【図５】装飾枠及びガラス扉枠を開放した状態における本体枠、遊技盤等を示す正面図である。
【図６】（ａ）はガラス扉枠を示す正面図であり、（ｂ）は図柄変動表示装置における表示例を示す図である。
【図７】ガラス扉枠を示す背面図である。
【図８】（ａ）は上皿付近の上面図であり、（ｂ）はＡ−Ａ線断面図である。
【図９】上皿における遊技球の流れを示す上面図である。
【図１０】（ａ）は装飾枠全体を示す正面図であり、（ｂ）は装飾枠上部の張出し部を透視して示す正面図である。
【図１１】装飾枠を上方へ開放した状態を示す側面図である。
【図１２】（ａ）装飾枠が開放位置に保持された状態を示す側面図であり、（ｂ）は装飾枠とガラス扉枠との係合状態を示す拡大断面図である。
【図１３】第二の実施形態としてのパチロット機の正面側における斜視図である。
【図１４】パチロット機の装飾パネル付近を示す正面図である。
【図１５】図１４におけるＣ−Ｃ線断面及び装飾パネルと遊技者との位置関係を示す側面図である。
【図１６】パチロット機の装飾パネルを上方へ開放した状態を示す側面図である。
【図１７】第三の実施形態としてのスロットマシンの正面図である。
【図１８】スロットマシンの側面図である。
【図１９】スロットマシンの装飾パネルを上方へ開放した状態を示す側面図である。
【図２０】パチロット機（又はスロットマシン）を用いた情報提供システムの全体構成を示すシステム構成図である。
【図２１】情報表示部において新台入れ替え情報を表示した例を示す図である。
【図２２】第一の実施形態の変形例を示す正面図である。
【発明を実施するための形態】
【００１４】
以下、本発明の遊技機を具体化した各実施形態について説明する。最初に、第一の実施形態であるパチンコ遊技機（以下、単に「パチンコ機」と称する）１について説明する。パチンコ機１は、内部の遊技球払い出し機構を利用して遊技球の貸し出しを行うＣＲ機と称されるタイプのパチンコ機であり、図１に示すように、カードユニット２０が隣接配置され且つ電気的に接続されている。カードユニット２０は、予め金額情報が記録された価値媒体としての図示しないプリペイドカードを投入可能なカード投入口２１を有し、プリペイドカードから金額情報の読み出し及び書き込みが可能となっている。
【００１５】
パチンコ機１は、図１乃至図４に示すように、外枠２と、その外枠２の前部に設けられ外枠２の一側部にて開閉可能に支持され且つ遊技領域１４を有する本体枠３とを備えている。外枠２は、パチンコ機１のベースとなる枠であり、板材により全体として矩形状に構成されている。尚、本実施の形態では、外枠２は木製であって、上下方向の長さは８０８ｍｍ、左右方向の長さは５２０ｍｍとなっている。
【００１６】
本体枠３は、合成樹脂、具体的にはＡＢＳ（アクリロニトリル−ブタジエン−スチレン）樹脂により構成されている。本体枠３の開閉軸線はパチンコ機１の正面から見て左側に上下に延びるように設定されている。尚、外枠２は樹脂により構成されていてもよく、あたかも外枠２及び本体枠３が一体物に見えるように構成されていてもよい。
【００１７】
本体枠３には、後述する下皿ユニット５１を除く本体枠３の前面側を覆うように、ガラス扉枠４が本体枠３左端の垂直軸心回りに開閉自在に設けられている。さらに、本体枠３には、装飾枠６０が本体枠３上端の水平軸心回りに開閉自在に設けられている。尚、ガラス扉枠４が本発明の窓枠を構成するものである。
【００１８】
本体枠３の後側（ガラス扉枠４の奥、外枠２の内側）には、図５に示すように、遊技盤５が着脱可能に装着されている。なお、遊技盤５は、その周縁部が本体枠３の裏側に当接した状態で取り付けられており、図５では、遊技盤５の前面部の略中央部分だけが本体枠３の前面側に露出した状態となっている。この遊技盤５の上下方向の長さは４７６ｍｍ、左右方向の長さは４５１ｍｍとなっている。また、遊技盤５には、ルータ加工が施されることによって複数の開口部が形成されており、各開口部には、普通入賞チャッカー６、可変入賞装置７、作動チャッカー８、スルーチャッカー１０等が配設されている。
【００１９】
尚、後述する図柄変動表示装置５７の制御を行う表示制御基板や、スピーカ５９における音声出力の制御を行う音声制御基板を含む各種の制御基板は、図４に示すように、遊技盤５の背面側に設けた透明樹脂製の裏パック５ａによって覆われている。また、パチンコ機１の主制御を行うメイン基板はメイン基板ボックス５ｂに、入賞による遊技球の払い出しやカードユニット２０からの貸し出し要求に基づいて遊技球の払い出しを行う払出ユニット５ｄ及び遊技球の発射を行う発射装置３１の制御を行う払出発射制御基板は払出発射制御基板ボックス５ｃにそれぞれ収納されている。
【００２０】
また、可変入賞装置７は、通常、遊技球Ｂが入賞できない状態又は入賞し難い状態になっている。より詳しくは、作動チャッカー８に対し遊技球Ｂが入賞することに基づいて、図柄変動表示装置５７の液晶表示部の図柄が可変表示される。そして、確定された図柄の組合わせが予め設定した特定の図柄の組合わせとなったこと、ここでは停止した図柄が特定の組み合わせであることを必要条件に特別遊技状態が発生し、可変入賞装置７の大入賞口が所定の開放状態となり（具体的には所定時間、所定回数だけ開く）、遊技球Ｂが入賞しやすい状態（大当り遊技状態）になるよう構成されている。尚、図柄変動表示装置５７において変動表示される複数の図柄列のうち、１つを除く他の図柄列の停止時の組合せが大当り図柄の組合せであるリーチ遊技状態となったときに、図柄変動表示装置５７においてリーチ演出画面が表示されると共に、リーチ遊技状態の発生がスピーカ５９から出力される効果音によって報知される。
【００２１】
また、周知のとおり、前記一般入賞口６、可変入賞装置７、作動チャッカー８に遊技球Ｂが入賞することに基づいて、後述する上皿５４（場合によっては下皿５３）に対し所定数の遊技球が景品球として払い出されるようになっている。また、遊技盤５には、遊技球Ｂの落下方向を適宜分散、調整等するために多数の釘が植設されているとともに、風車９等の各種部材（役物）が配設されている。
【００２２】
さて、本体枠３は、外形が前記外枠２とほぼ同一形状をなす樹脂ベース１１と、この樹脂ベース１１の最内周側に位置し略円弧状をなすよう一体形成された内レール１２と、主として図の左側の内レール１２に対し所定間隔を隔てて前記樹脂ベース１１に一体形成された外レール１３とを備えている。これら内レール１２及び外レール１３は遊技球発射ハンドル５２の回動操作に基づき発射装置３１から発射された遊技球Ｂを遊技盤５上部へ案内する発射路としての役割を主として果たすものである。従って、内レール１２と外レール１３とが並行する部分（向かって左側の部分）によって、誘導レールが構成されることとなる。
【００２３】
前記内レール１２の下端部付近において、遊技盤５には遊技球Ｂを導出するアウト口２５が形成されている。そして、遊技盤５の下部に落下した遊技球の多くは、このアウト口２５を通って図示しない球排出路の方へと案内されるようになっている。このような構成の下、本体枠３の内周側の窓孔によって主として遊技領域の外延が確定されており、本体枠３に対し遊技盤５が装着された状態にあっては、内レール１２及び外レール１３が遊技盤５に当接又は近接した状態となる。そして、発射装置３１により発射された遊技球Ｂは、主として外レール１３によって遊技盤５の上部へと案内される。また、遊技盤５には、遊技球の払い出しを行う払出口３２が設けられ、この払出口３２に連通するようにガラス扉枠４側に払出口４５が設けられている（図７参照）。
【００２４】
次に、遊技領域１４について説明する。本実施の形態では、遊技領域１４を、パチンコ機１の正面から見て、内レール１２及び外レール１３によって囲まれる領域のうち、内外レール１２，１３の並行部分である誘導レールの領域を除いた領域としている。また、パチンコ機１において、外レール１３の最上部地点から遊技盤５下部までの間の距離は４６２ｍｍ、外レール１３の極左位置から内レール１２の極右位置までの間の距離は４４９ｍｍとなっている。また、内レール１２の極左位置から内レール１２の極右位置までの間の距離は４３２ｍｍとなっている。
【００２５】
併せて、図１及び図６に示すように、ガラス扉枠４の存在していない本体枠３下部は、例えばＡＢＳ（アクリロニトリル−ブタジエン−スチレン）樹脂よりなる下皿ユニット５１となっている。下皿ユニット５１の右下部からは、遊技球発射用ハンドル５２が手前側に延設されている。また、下皿ユニット５１のほぼ中央部には球受け皿としての景品球払出用の下皿５３が設けられている。さらに、下皿ユニット５１には下皿５３の左側に隣接して灰皿５６が設けられている。
【００２６】
次に、ガラス扉枠４について、図６及び図７を参照しつつ説明する。ガラス扉枠４には、前記遊技領域１４の殆どを外部から視認することができるように略楕円形状の窓部４１が形成されている。具体的には、前記窓部４１は、その左右側の略中央部が、上下側に比べて比較的緩やかに湾曲した形状となっている。なお、前記略中央部が直線状になるようにしてもよい。本実施の形態において、前記窓部４１の上端（外レール１３の最上部、遊技領域の上端）と、ガラス扉枠４の上端との間の距離（いわゆる上部フレーム部分の上下幅）は５０ｍｍとなっており、８５ｍｍ〜９５ｍｍ程度上部フレーム幅がある従来技術に比べ、著しく短くなっている。なお、上記距離は、８０ｍｍ以下であることが望ましく、より望ましくは７０ｍｍ以下であり、さらに望ましくは６０ｍｍ以下である。勿論、所定の強度が確保できるのであれば、５０ｍｍ以下であっても差し支えない。
【００２７】
また、窓部４１の左端と、ガラス扉枠４の左端との間の最短距離（いわゆる左側部フレーム部分の左右幅）は、ガラス扉枠４自体の強度及び支持強度を高めるために比較的大きく設定されている。より詳しくは、図１及び図７を相互に比較すると明らかなように、ガラス扉枠４が閉じられた状態において、外レール１３の左側部は勿論、内レール１２の左側部も前記左側部フレーム部分によって覆い隠される。すなわち、誘導レールの一部が覆い隠される。このように遊技球Ｂが一時的に視認困難となったとしても、それは、遊技球Ｂが遊技領域１４に案内される通過点に過ぎず、遊技者が主として遊技を楽しむ遊技領域において遊技球Ｂが視認困難となるわけではない。そのため、実際の遊技に際しては何ら支障が生じない。また、このような支障が生じない一方で、ガラス扉枠４の十分な強度及び支持強度が確保可能となっている。ちなみに、外レール１３の左端位置と外枠２の左端位置との左右方向の距離は２１ｍｍ、遊技領域の右端位置（内レール１２の右端位置）と外枠２右端位置との左右方向の距離は４４ｍｍとなっている。また、ガラス扉枠４には、図７に示すように、その左右フレーム部分の裏側において、そのガラス扉枠４を補強するための例えば金属製の補強部材４３，４４が取り付けられている。
【００２８】
また、ガラス扉枠４の開閉軸線（軸支部）もパチンコ機１の正面から見て左側に上下に延びるように設定されている。詳しくは、ガラス扉枠４の背面図である図７に示すように、ガラス扉枠４の裏側から見て右側の上端部付近に回動軸９１が設けられ、図７に示すように本体枠３の正面から見て左側の上端部付近には回動軸９１が嵌め込まれる軸受部９２が設けられている。また、軸受部９２の下方には、上方に突出する突回動軸９３が設けられ、ガラス扉枠４の下側面には、前記回動軸９１の下方位置において、前記突回動軸９３を嵌め込むための図示しない軸受凹部が設けられている。そして、突回動軸９３を前記軸受凹部に嵌め込み、回動軸９１を軸受部９２に嵌め込むことによって、ガラス扉枠４が軸支され開閉可能となる。このように本実施の形態では、回動軸９１と突回動軸９３を結ぶ線がガラス扉枠４の開閉軸線として設定されている。
【００２９】
また、ガラス扉枠４には、裏側から一対のガラス板４２が並行して取り付けられている。ガラス扉枠４の左右方向の長さは、本体枠３とほぼ同等であり、そのガラス扉枠４によって本体枠３下部に設けられた下皿ユニット５１を除く殆どの部分が覆われるようになっている。
【００３０】
また、ガラス扉枠４には、図６（ａ）に示すように、窓部４１上端に図柄変動表示装置５７が配設されている。図柄変動表示装置５７は、液晶ディスプレイを備え、例えば、図６（ｂ）に示すように、左図柄列、中図柄列及び右図柄列の３つの表示列が画面表示される。各図柄列は複数の図柄によって構成されており、これら図柄が各図柄列毎にスクロールされるように表示画面に可変表示されるようになっている。尚、図柄変動表示装置５７は、液晶ディスプレイからなるので、高精細で見易い画面表示を行うことができる。
【００３１】
ガラス扉枠４における窓部４１下方の下部フレームには、上皿５４が一体的に設けられている。上皿５４は、合成樹脂を成形することによって製造され、ガラス扉枠４の払出し口４５より払い出された遊技球及び遊技者により投入された遊技球を貯留する貯留部５４ａ、払出し口４５より払い出された遊技球を貯留部５４ａへ流入させる流入口５４ｌ、及び貯留部５４ａに貯留された遊技球をガラス扉枠４の供給穴４９を通して発射装置３１側へ供給する供給口５４ｒを有し、流入口５４ｌ及び供給口５４ｒの後端面においてガラス扉枠４にビス等を用いて取り付け固定されている。
【００３２】
上皿５４の貯留部５４ａは、流入口５４ｌ及び供給口５４ｒに連続する底面部５４ｂと、底面部５４ｂの周囲を取り囲むように立設された前壁部５４ｃと、底面部５４ｂを挟んで前壁部５４ｃと対向するように流入口５４ｌと供給口５４ｒとの間に立設され且つ前壁部５４ｃ側へ凸状となるように湾曲形成された後壁部５４ｄとを有している。底面部５４ｂは、左右方向に細長く且つガラス扉枠４から前方へ張り出すように形成されている。また、底面部５４ｂ後部の流入口５４ｌと供給口５４ｒとの間には前方側へ凹状をなす凹状輪郭部５４ｕが形成され、上述した後壁部５４ｄは凹状輪郭部５４ｕに沿って立設されている。後壁部５４ｄは、左右方向中央部でガラス扉枠４より数十ｍｍ程度（例えば、３０〜５０ｍｍ）前方側へ離間しており、後壁部５４ｄ背面とガラス扉枠４前面との間に空間部５４ｈが形成される構造となっている。尚、図８（ａ）は上皿５４の平面図、（ｂ）は（ａ）の上皿５４のＡ−Ａ線断面図である。
【００３３】
貯留部５４ａの底面部５４ｂ上には、後壁部５４ｄの右側に、遊技球を一列に整列させて供給口５４ｒより供給穴４９を通して発射装置３１側へ流下させる整流部５４ｅが設けられている。整流部５４ｅには、遊技球を後述する直線部５４ｆへ誘導するための傾斜壁５４ｋが、直線部５４ｆを挟んで前壁部５４ｃ側及び後壁部５４ｄ側に形成されており、遊技球の流路が徐々に狭まる構造となっている。また、整流部５４ｅには、底面部５４ｂ上で前後方向に延設され且つ前方側から供給穴４９の位置する後方側に向かって下り傾斜する直線部５４ｆが設けられ、この直線部５４ｆの底面に細長い長方形状の金属板５４ｍが装着されている。金属板５４ｍは、遊技球の流れをスムーズにする機能、底面を補強して摩擦による削れを防止する機能、ノイズを防止する機能等を有している。また、金属板５４ｍの下流端側には球抜き穴５４ｊが形成されている。この球抜き穴５４ｊは、通常の状態において直線部５４ｆの底面裏側をスライド自在に設けられる開閉弁５４ｉによって閉塞されており、開閉弁５４ｉが前壁部５４ｃに設けられる球抜きレバー５４ｇの操作により移動されたときに、球抜き穴５４ｊが開放されて貯留部５４ａ内に貯留されていた遊技球を図示しない球抜き通路を介して下皿５３に移動せしめるものである。
【００３４】
ここで、上皿５４の貯留部５４ａにおける遊技球Ｂの流れについて、図９を参照しつつ説明する。遊技球Ｂは、払出口４５より払い出されると流入口５４ｌより貯留部５４ａ内に流入し、緩やかに右下がりに傾斜する底面部５４ｂと、前壁部５４ｃ及び後壁部５４ｄとに案内されて貯留部５４ａ右側の供給口５４ｒへ向かって転動して整流部５４ｅに到達する。また、遊技者によって遊技球Ｂが貯留部５４ａ内へ投入された場合も、同様に、底面部５４ｂ等に案内されて転動して整流部５４ｅへ到達する。そして、遊技球Ｂは整流部５４ｅの直線部５４ｆを挟んで両側に設けられた傾斜壁５４ｋによって誘導されて一列に整列されると共に、直線部５４ｆ上を下り傾斜する後方側（ガラス扉枠４側）へ転動して金属板５４ｍの下流端より供給穴４９へ流下する。供給穴４９から球送り装置４８へ供給された遊技球は、１個ずつ発射レール３３に導かれ、発射装置３１によって発射される。
【００３５】
ガラス扉枠４の窓部４１下方には、遊技球の貸し出しに関する操作を行うための貸球操作部４６が設けられている。貸球操作部４６は、図１及び図６（ａ）に示すように、遊技球の貸し出し可能状態をランプによって示す貸出ボタンランプ４６ａ、遊技球の貸し出しを行うための貸出ボタン４６ｂ、プリペイドカードの返却を行うための返却ボタン４６ｃ、プリペイドカードの残り度数を表示する度数表示ＬＥＤ４６ｄとを備えている。貸球操作部４６は、装飾枠６０の操作部用開口部６０ｃから前面に露出し、貸球操作部４６各部の視認及び貸出ボタン４６ｂや返却ボタン４６ｃの操作が可能となっている（図１参照）。
【００３６】
次に、装飾枠６０について、図１０乃至図１２を参照しつつ説明する。装飾枠６０は、合成樹脂の成形品から成るものであり、図柄変動表示装置５７、ガラス扉枠４の窓部４１、及び貸球操作部４６の隠蔽又は干渉を回避しつつ、ガラス扉枠４の前側表面の略全域を覆うよう構成されている。尚、装飾枠６０は、樹脂に金属等をインサートして（即ち、一部を金属とする）装飾性を向上させたり、或いは全体を金属等樹脂以外の材料で形成するようにしてもよい。
【００３７】
装飾枠６０上部中央には、図１０に示すように、逆台形状の表示用開口部６０ａが形成され、ガラス扉枠４に配設された図柄変動表示装置５７が表示用開口部６０ａにおいて前面側に露出し、遊技者より視認可能とされる。尚、図１０（ａ）は、装飾枠６０の正面図であり、（ｂ）は装飾枠６０上部の張出し部６１を透視して示す正面図である。装飾枠６０前面上部には、前方へ張り出し状に形成され且つガラス扉枠４との間に空間部６１ｈを有する張出し部６１が設けられている。張出し部６１は、装飾枠６０の左右両端を跨ぐアーチ状の外観を呈しており、中央では前方に数ｃｍ〜十数ｃｍ程度張り出している（図２（ｂ），図３参照）。装飾枠６０の略中央には、略円形状の窓部用開口部６０ｂが形成され、ガラス扉枠４の窓部４１に装着されたガラス板４２を介して遊技領域１４を視認可能となっている。
【００３８】
窓部用開口部６０ｂの周囲には、各種ランプ、ＬＥＤ等の発光手段を備えた電飾部材６２が設けられている。これら電飾部材６２は、大当り時や所定のリーチ時等の遊技状態の変化に応じて点灯、点滅のように発光手段の発光態様が変更制御され遊技中の演出効果を高める役割を果たすようになっている。勿論、これら電飾部材６２を、ガラス扉枠４に設ける構成や遊技盤５に設ける構成（コーナー飾りと称される電飾部材６２を遊技盤５のコーナー部等に配設する）としてもよいし、場合によっては本体枠３に設ける構成としてもよい。更には、前後一対のガラス４２間に配設する構成としてもよい。
【００３９】
窓部用開口部６０ｂの下方には、逆台形状の操作部用開口部６０ｃが形成され、ガラス扉枠４に配設された貸球操作部４６が操作部用開口部６０ｃにおいて前面側に露出し、遊技者より視認及び操作可能とされる。操作部用開口部６０ｃよりもさらに下方には、上皿５４前面を覆うように前方へ膨出形成された膨出部６３が設けられている。膨出部６３は、図９に示すように、装飾枠６０がガラス扉枠４に対して閉じた際に上皿５４を収容可能な空間が内部に形成されつつ、所望形状で前側（遊技者側）に膨出形成されたものであり、上皿５４上面を開口させる上皿用開口部６３ａが形成されている。この上皿用開口部６３ａにより、上皿５４に貯留された遊技球を取り出したり、或いは上皿５４の貯留部に遊技球を補充したりすることができる。また、膨出部６３の前面右寄りにレバー用開口部６３ｂが形成されている。上皿５４前面に配設された球抜きレバー５４ｇは、レバー用開口部６３ｂより前面側に露出し、遊技者によって左右にスライド操作可能とされる。また、装飾枠６０下部の左右に、側面視Ｌ字形を呈する一対の脚部６４，６４が下方へ延設されている。装飾枠６０を本体枠３に対して閉じた際に、脚部６４，６４が外枠２下部に設けられた突出片２ａ、２ａ上面にそれぞれ当接して支持されるので装飾枠６０が安定する。
【００４０】
また、本体枠３が外枠２に対し閉じられると自動的にロックがかかるようになっており、所定のキー操作が行われることによりロックが解除されるようになっている。同様に、ガラス扉枠４が本体枠３に対し閉じられると自動的にロックがかかり、別途のキー操作が行われることによりロックが解除されるようになっている。さらに同様に、装飾枠６０が本体枠３に対し閉じられると自動的にロックがかかり、別途のキー操作が行われることによりロックが解除されるようになっている。このようにロック及びロック解除を行うためのロック機構が本体枠３の右下部、つまり下皿ユニット５１の右端部に設けられている。ロック機構には、鍵穴を有するキーシリンダ（解除キー）５５、本体枠３及び外枠２間でのロック及び解除を行うための第２ロック機構が含まれる。本実施の形態では、最も幅狭で、遊技領域の拡張を阻害する本体枠の右中央部ではなく、比較的にスペースにゆとりのある本体枠３の右下部に、キーシリンダ５５をはじめとする上記ロック機構（特にキーシリンダ５５）が配設されている。換言すれば、キーシリンダ５５は、遊技領域の最大幅となる位置を避けて配置されている。このような構成により、遊技領域の拡張をより容易且つ確実に図ることができる。
【００４１】
勿論、最も幅狭な部分以外であれば、上記以外の部位に設けてもよく、例えば、本体枠３の右上部に設けるような構成としてもよい。また、上記例では、第１ロック機構及び第２ロック機構をキーシリンダ５５でともにロック状態を解除可能としたが、それぞれの解除のためのキーシリンダを別体で設けることとしてもよい。
【００４２】
装飾枠６０上端には、折り曲げ板形状のヒンジ６５が左右一対に取り付けられており、装飾枠６０はヒンジ６５を介して本体枠３に対して水平軸心回りに（すなわち、上下に）開閉自在に枢着されている。尚、ヒンジ６５は装飾枠６０の上端に配設されているが、これに代えて上部の左右両側面に配設してもよい。ここで、図１１は、装飾枠６０が上方へ開放されて水平姿勢となった状態を示している。また、図１２（ａ）は、装飾枠６０を上方に開放すると共にガラス扉枠４を左側へ開放し、この状態で装飾枠６０をガラス扉枠４の上端で支持させることにより、装飾枠６０を開放位置に保持した様子を示す図である。具体的には、図１２（ｂ）に示すように、装飾枠６０背面に係合突起６０ｄが、ガラス扉枠４上端に係合突起６０ｄに整合する係合凹部４ａがそれぞれ形成され、係合突起６０ｄと係合凹部４ａとが係合することにより、上方に開放された装飾枠６０がガラス扉枠４上端に載置された状態が保持される。
【００４３】
以上詳述したことから明らかなように、本実施形態によれば、装飾枠６０によりガラス扉枠４前面の一部を覆ってガラス扉枠４と装飾枠６０とが前後に重層する構造を形成することにより、強度の向上を図り、不正行為を防止すると共に、視覚的効果に優れた立体的装飾の形成が可能となる。また、ガラス扉枠４と装飾枠６０とで重量が分担されるので、それぞれの強度を高く設定することは必要とされない。また、装飾枠６０は重量の大きいガラス板を有しないため相対的に軽量であり、小さな力で装飾枠６０を上下に軽く開閉することができる。よって、電動で装飾枠６０を開閉するための開閉駆動装置等を設ける必要がなく、遊技機１全体の構成が複雑化せず且つコストを低く抑えることができる。また、ガラス板が装着された窓枠が上方に開放される従来構成では、作業者がガラス板に頭をぶつける危険性があるが、本実施形態によればそのような危険性はなく、安全性が高い。さらに、装飾枠６０が本体枠３に対して上方に開放されるので、装飾枠６０に大型の立体的装飾が施された場合でも、隣の遊技者の邪魔にならずに装飾枠６０を大きく開放することができる。
【００４４】
また、装飾枠６０は、その上端がヒンジ６５を介して本体枠３上部に取り付けられ、本体枠３に対して水平軸心回りに開閉自在に枢着されているので、簡単且つ安価な構成で装飾枠６０を本体枠３に対して上下に開閉自在とすることができる。また、装飾枠６０が本体枠３側へ閉じた状態でロック機構によりロックされるので、装飾枠６０が不正に又は誤って開放されることを確実に防止することができる。
【００４５】
また、ガラス扉枠４は、本体枠３に対して左右に開閉自在に取り付けられ、上方に開放された装飾枠６０が、左側に開放されたガラス扉枠４の上端にて係合突起６０ｄと係合凹部４ａとの係合によって固定支持されるので、固定保持用の棒状部材等を別途設けることなく、ガラス扉枠４を利用して装飾枠６０を開放位置に保持することができ、遊技盤５の遊技領域１４等のメンテナンス作業を容易に行うことができる。
【００４６】
また、ガラス扉枠４における窓部４１より上方部分及び下方部分が、装飾枠６０の上辺部をなす張出し部６１及び下辺部をなす膨出部６３によってそれぞれ覆われるので、ガラス扉枠４において窓部４１を挟んで対向する上方部分及び下方部分に大型の立体的装飾を形成することができる。また、装飾枠６０の上辺部と下辺部とが連結されて全体が一体化されることにより装飾枠６０の強度が向上される。
【００４７】
また、貯留された遊技球によって大きな重量がかかる上皿５４が、装飾枠６０側ではなくガラス扉枠４側に設けられているので、装飾枠６０の強度をあまり高く設定する必要がない。また、上方に開放される装飾枠６０には上皿５４が設けられていないので、上皿５４内に貯留された遊技球が装飾枠６０開放時にこぼれ落ちる事態は発生しない。また、ガラス扉枠４に設けられた上皿４の前面が、装飾枠６０に形成された膨出部６３によって覆われるので、上皿５４を補強しつつ立体的装飾を形成することができる。
【００４８】
また、ガラス扉枠４の窓部４１に装着されたガラス板４２が、装飾枠６０の開口より外部に露出するので、遊技者はガラス板４２を介して遊技領域１４を確実に視認することができる。また、ガラス扉枠４に設けられた貸し球操作部が装飾枠６０の開口より外部に露出するので、遊技者は貸し球操作部を確実に操作することができる。
【００４９】
また、装飾枠６０は、前方へ張り出し且つガラス扉枠４との間に空間部６１ｈを有する張出し部６１を備えているので、ガラス扉枠４と装飾枠６０の張出し部６１とが前後に重層した視覚的効果に優れた立体的装飾を形成することができる。特に、ガラス扉枠４と装飾枠６０の両方に装飾部材（図柄変動表示装置５７又は電飾部材６２）を設けたので、発光及び画面表示を伴う視覚的効果に優れた立体的装飾を形成することができる。
【００５０】
また、張出し部６１によって立体的構造が形成されることにより、各種部材の配設スペースを拡大することができる。すなわち、装飾枠６０の張出し部６１とガラス扉枠４との間に形成される空間部６１ｈ内を、遊技領域１４を臨む窓部４１の一部や各種部材の配設スペースとして活用しつつ、前方へ立体的に設けられた張出し部６１に表示部や音声出力部等の各種部材を配設することができるので、遊技機前面における各種部材の配設スペースを確実に拡大することができる。また、張出し部６１の空間部６１ｈを通して下方に光が取り込まれるので、張出し部６１の下方が暗くなって遊技に支障を来たすことが防止される。また、張出し部６１が装飾枠６０の左右両端に跨って設けられるアーチ状に形成されているので、大型の立体的装飾を形成することができると共に、各種部材の配設スペースを大幅に拡大することができる。
【００５１】
また、装飾枠６０の下端部をなす脚部６４，６４が外枠２下部に設けられた突出片２ａ、２ａ上面にそれぞれ当接して支持されるので、装飾枠６０を本体側へ閉じた状態における安定性が確保される。
【００５２】
次に、本発明の第二の実施形態について、図１３乃至図１６を参照しつつ説明する。第二の実施形態は、複数種類の図柄が表示された複数の回転リールを有し、各回転リールの回転停止時の図柄の組合わせに基づく入賞態様に応じて遊技球が払い出されるパチロット遊技機（以下、単に「パチロット機」と称する）である。本実施形態のパチロット機１０１は、図１３に示すように、正面側に開口すると共に、複数種類の図柄が表示された図示しない複数（３個）の回転リールが収容される本体枠１２０と、本体枠１２０の前面を覆うように左右に開閉可能に取り付けられ、ガラス板１４３ａが装着されて各回転リールの図柄を視認可能とされた表示窓１４３を有する合成樹脂製のフロントパネル１４０と、フロントパネル１４０上部を覆うように上下に開閉自在に設けられる装飾パネル１６０とを備えている。尚、フロントパネル１４０が本発明の窓枠を、装飾パネル１６０が装飾枠をそれぞれ構成するものである。また、本実施形態では、３個の回転リールにおいて表示窓１４３から視認される領域が遊技領域１１４である。
【００５３】
また、フロントパネル１４０の前面には、上部の左右に音声出力部１５９，１５９、装飾ランプ１４２、前方へ突出する台状に形成された上皿１４４、払い出された遊技球又は上皿１４４より誘導された遊技球を受けて貯留する下皿１７０等が設けられている。音声出力部１５９には、図示しない接続コードを介して音声制御基板と電気的に接続されたスピーカ本体１５９ａが収納されている。また、音声出力部１５９においてスピーカ本体１５９ａの前面を覆うカバー１５９ｂには多数の小孔１５９ｃが形成されており、スピーカ本体１５９ａから出力される音声が遊技者から聞こえやすくなっている。上皿１４４の上面には、各回転リールの回転停止時の図柄の組合わせに基づく入賞態様に応じてフロントパネル１４０の払出し口１４５より払い出された遊技球及び遊技者により投入された遊技球を貯留する貯留部１４４ａ、払出し口１４５より払い出された遊技球を貯留部１４４ａへ流入させる流入口１４４ｌ、及び貯留部１４４ａに貯留された遊技球をフロントパネル１４０の供給穴１４９を通して本体側へ供給する供給口１４４ｒが設けられている。
【００５４】
また、前壁部１４４ｃの上面には、クレジットされている遊技球を投入するためのベットスイッチ１４６ａや、クレジットされている遊技球を払い出すためのキャンセルスイッチ１４６ｂが設けられている。また、前壁部１４４ｃの前面は操作部１４７となっており、回転リールの回転起動操作を行うスタートレバー１４７ａ、及び左・中・右の回転リールにそれぞれ対応して設けられたストップスイッチ１４７ｂが設けられている。
【００５５】
装飾パネル１６０は、前方へ張り出し状に形成され且つフロントパネル１４０との間に空間部１６１ｈを有してフロントパネル１４０の前面上部を覆う張出し部１６１と、張出し部１６１より後方へ延設された左右一対の取り付け片１６２とからなる合成樹脂製部材である。張出し部１６１は、音声出力部１５９，１５９を左右方向に跨ぐアーチ状の外観を呈しており、中央では前方に数ｃｍ〜十数ｃｍ程度張り出している。一対の取り付け片１６１には、折り曲げ板形状のヒンジ１６５がそれぞれ取り付けられており、装飾パネル１６０はヒンジ１６５を介して本体枠１２０に対して水平軸心回りに（すなわち、上下に）開閉自在に枢着されている。ここで、図１６は、装飾パネル１６０を上方へ開放して水平姿勢とされた状態を示している。
【００５６】
張出し部１６１前面の中央には情報表示部１５７が配設されている。尚、図１４は、装飾パネル１６０付近を示す正面図であり、図１５は、図１４におけるＣ−Ｃ線断面及び装飾パネル１６０と遊技者との位置関係を示す側面図である。情報表示部１５７は、横長の長方形状を呈する液晶ディスプレイからなり、通信回線３０５を介してホールサーバ３０４から受信した表示用データに基づいて画面表示を行う。また、空間部１６１ｈ内で音声出力部１５９，１５９から音声が出力されて、音声が必要以上に周囲に広がらないので、当該遊技者には音声が明瞭に聴取され且つ周囲の遊技者には聴取されにくい。
【００５７】
次に、上述したパチロット機１０１を用いた情報提供システム３０１のシステム構成について、図２０を参照しつつ説明する。情報提供システム３０１は、図２０に示すように、遊技ホール外の情報提供センタ等に設けられる情報サーバ３０２と、情報サーバ３０２が接続されたインターネット網３０３と、遊技ホール側に設けられてインターネット網３０３に接続されたホールサーバ３０４と、遊技ホール内に設けられた通信線３０５と、遊技ホール内に設置されて通信線３０５を介してホールサーバ３０４と接続された複数のパチロット機１０１，・・１０１とから構成される。
【００５８】
情報サーバ３０２には、各種情報の表示用データが記憶されており、当該記憶された表示用データを、インターネット網３０３を介して各遊技ホールのホールサーバ３０４に対して定期的に配信する。情報サーバ３０２によって配信される表示用データは、地域の飲食店情報等の広告情報、ニュース、天気予報等である。ホールサーバ３０４は、インターネット網３０３を介して表示用データを受信して内部の記憶装置に記憶する。また、ホールサーバ３０４は、遊技ホールにおいて入力された表示用データをも記憶装置に記憶する。尚、遊技ホールにおいて入力される表示用データは、新台入れ替え情報、遊技機の新機種情報、景品情報、遊技ホールからのお知らせ等である。そして、ホールサーバ３０４は、記憶した表示用データを通信回線３０５を介して所定のタイミングで各パチロット機１０１へ送信する。各パチロット機１０１において、情報表示部１５７が受信した表示用データに基づいて画面表示を行う。図２１は、情報表示部１５７において、新台入れ替え情報を表示した例を示している。
【００５９】
以上詳述したことから明らかなように、本実施形態によれば、装飾パネル１６０によりフロントパネル１４０前面の上部を覆ってフロントパネル１４０と装飾パネル１６０とが前後に重層する構造を形成することにより、強度の向上を図り、不正行為を防止すると共に、視覚的効果に優れた立体的装飾の形成が可能となる。また、フロントパネル１４０と装飾パネル１６０とで重量が分担されるので、それぞれの強度を高く設定することは必要とされない。さらに、装飾パネル６０が本体枠１２０に対して上方に開放されるので、装飾パネル１６０に大型の立体的装飾が施された場合でも、隣の遊技者の邪魔にならずに装飾パネル１６０を開放することができる。
【００６０】
また、フロントパネル１４０の前面にて前方へ張り出し且つフロントパネル１４０との間に空間部１６１ｈを有する張出し部１６１を備えた装飾パネル１６０を設けることにより、フロントパネル１４０前面に立体的構造を形成して各種部材の配設スペースを拡大することができる。また、情報表示部１５７がフロントパネル１４０の前面にて前方へ張り出す装飾パネル１６０の張出し部１６１に配設されているので、より遊技者に近い位置で見易い画面表示を行うことができる。特に、情報表示部１５７は、情報サーバ３０２からインターネット網３０３を介して配信された表示用データや遊技ホールにおいて入力された広告宣伝情報、ニュース、お知らせ等に関する表示用データをホールサーバ３０４より受信して画面表示することができる。
【００６１】
次に、本発明の第三の実施形態について、図１７乃至図１９を参照しつつ説明する。尚、第二の実施形態で説明した図２０に示す情報提供システム３０１は、第三の実施形態においても共通に用いられるものとする。第三の実施形態の遊技機であるスロットマシン２０１は、図１７及び図１８に示すように、正面側に開口すると共に、複数種類の図柄が表示された複数（３個）の回転リール２２１が収容される本体キャビネット２２０と、本体キャビネット２２０の前面を覆うように左右に開閉可能に取り付けられ、各回転リール２２１の図柄を視認可能な表示窓２４３を設けたフロントパネル２４０と、フロントパネル２４０上部を覆うように上下に開閉自在に設けられる装飾パネル２６０とを備えている。また、本体キャビネット２２０が本発明の本体枠を、フロントパネル２４０が窓枠を、装飾パネル２６０が装飾枠をそれぞれ構成するものである。また、本実施形態では、３個の回転リール２２１において表示窓２４３から視認される領域が遊技領域２１４である。
【００６２】
本体キャビネット２２０は、天板、左右の側板、底板、裏板などから構成され、例えば、薄板板金素材を切断、孔あけ、曲げ加工等して所定のパネル形状に加工した後、これ等の部材を溶接して図示する正面側に開口する箱状に形成される。
【００６３】
フロントパネル２４０は、合成樹脂の成型加工によって、本体キャビネット２２０の開口部分を覆う扉状に形成される。フロントパネル２４０には、本体キャビネット２２０に収容された左・中・右の回転リール２２１の前面側に対向する位置に、ガラス板２４３ａが嵌め込まれた表示窓２４３が設けられ、各回転リール２２１に表示された図柄が視認可能となっている。フロントパネル２４０上部には、情報表示部２５７が配設されている。情報表示部２５７は、横長の長方形状を呈する大型の液晶ディスプレイからなり、通信回線３０５を介してホールサーバ３０４から受信した表示用データに基づいて画面表示を行う（図２０、２１参照）。
【００６４】
表示窓２４３の下方には、前方に突出する台状の操作部２４４が設けられている。この操作部２４４の上面には、クレジットされている遊技メダルを投入するためのベットスイッチや、クレジットされているメダルを払い出すためのキャンセルスイッチ等を含む各種スイッチ２４５、及び遊技メダルを投入するためのメダル投入口２４６が設けられている。また、操作部２４４の前面には、回転リール２２１の回転起動操作を行うスタートレバー２４７、及び左・中・右の回転リール２２１にそれぞれ対応して設けられたストップスイッチ２４８が設けられている。また、フロントパネル２４０上下方向中央に設けられた操作部２４４の下方の領域には、機種名称等が描かれた化粧パネル２７２が取り付けられている。
【００６５】
フロントパネル２４０の下部には、各回転リール２２１の回転停止時の図柄の組合わせに基づく入賞態様に応じて払い出された遊技メダルを受けて貯留するメダル受皿２７０が設けられている。メダル受皿２７０は、合成樹脂の成型加工により上面が開口する箱状に形成されている。
【００６６】
装飾パネル２６０は、前方へ張り出し状に形成され且つフロントパネル２４０との間に空間部２６１ｈを有してフロントパネル２４０の前面上部を覆う張出し部２６１と、張出し部２６１より後方へ延設された左右一対の取り付け片２６２とからなる合成樹脂製部材である。張出し部２６１は、情報表示部２５７の上部を左右方向に跨ぐアーチ状の外観を呈しており、中央では前方に数ｃｍ〜十数ｃｍ程度張り出している。一対の取り付け片２６２には、折り曲げ板形状のヒンジ２６５がそれぞれ取り付けられており、装飾パネル２６０はヒンジ２６５を介して本体キャビネット２２０に対して水平軸心回りに（すなわち、上下に）開閉自在に枢着されている。ここで、図１９は、装飾パネル２６０を上方へ開放して水平姿勢とされた状態を示している。装飾パネル２６０前面には、複数の発光ダイオード（ＬＥＤ）２６３ａを左右方向に整列させて配設した電飾部２６３が全体に亘って形成されている。尚、ＬＥＤに代えて、多数の電球を配設することにより電飾部２４２を構成してもよい。
【００６７】
以上詳述したことから明らかなように、本実施形態によれば、装飾パネル２６０によりフロントパネル２４０前面上部を覆ってフロントパネル２４０と装飾パネル２６０とが前後に重層する構造を形成することにより、強度の向上を図り、不正行為を防止すると共に、視覚的効果に優れた立体的装飾の形成が可能となる。また、フロントパネル２４０と装飾パネル２６０とで重量が分担されるので、それぞれの強度を高く設定することは必要とされない。さらに、装飾パネル２６０が本体キャビネット２２０に対して上方に開放されるので、装飾パネル２６０に大型の立体的装飾が施された場合でも、隣の遊技者の邪魔にならずに装飾パネル２６０を開放することができる。
【００６８】
また、フロントパネル２４０の前面にて前方へ張り出し且つフロントパネル２４０との間に空間部２６１ｈを有する装飾パネル２６０を備えることにより、大型の情報表示部２５７をフロントパネル２４０前面上部に配設する構成を採用しつつ、フロントパネル２４０前面に立体的構造を形成して各種部材の配設スペースを拡大することができる。また、遊技者の目に付きやすく且つ立体的構造を有する装飾パネル２６０に複数のＬＥＤ２６３ａを有する電飾部２６３が形成されているので、光による効果的な演出を行うことにより遊技の興趣を増大させることができる。また、フロントパネル２４０前面のスペースが小さい場合でも、装飾パネル２６０上に大型の電飾部２６３を構成することができる。
【００６９】
尚、本発明は上述した各実施の形態に限定されるものではなく、本発明の主旨を逸脱しない範囲で種々の変更を施すことが可能である。例えば、前記第一の実施形態では、図柄変動表示装置５７を液晶ディスプレイにより構成したが、図柄変動表示装置５７をＥＬディスプレイ（ＥＬは、エレクトロルミネッセントの略）により構成してもよい。本変形例によれば、図柄変動表示装置５７が高輝度で見易い画面表示を行うことができる。尚、図柄変動表示装置５７を可撓性を有する材質からなるＥＬディスプレイにより構成する場合、ＥＬディスプレイを曲面状に配設する構成としてよい。本変形例によれば、外部からの光の写り込みが防止されて図柄変動表示装置５７における画面表示の視認がより一層容易となる。
【００７０】
或いは、図柄変動表示装置５７をＬＥＤディスプレイにより構成してもよい。本変形例によれば、図柄変動表示装置５７が安価な構成で見易い画面表示を行うことができる。さらに、第二の実施形態において、情報表示部１５７をタッチパネル式ディスプレイにより構成してもよい。本変形例によれば、遊技者が指で情報表示部１５７の表面に触れることによって容易に各種の入力操作を行うことができる。入力操作としては、表示したい情報の選択入力を行えるようにしてもよいし、タッチパネル式ディスプレイ上に球貸しボタン等を設けて貸し球操作部を構成するようにしてもよい。さらに、情報表示部１５７の両端を回転自在に支持して、情報表示部１５７が所定の傾斜角となるように上下に回動可能に配設してもよい。本変形例によれば、情報表示部１５７が遊技者の視線方向となるように傾斜角を調整可能であるので、遊技者は、より一層容易に画面表示を視認することができる。
【００７１】
また、前記第一の実施形態において、図２２に示す変形例のように、装飾枠６０の上辺部から下辺部まで連続的に電飾部材としての多数個の発光ダイオード６２’を配設する構成としてもよい。本変形例によれば、遊技機１前面に連続的で視覚的効果に優れた立体的装飾を形成することができる。
【００７２】
また、前記第一の実施形態では、上皿５４の上面を開放して遊技球を投入可能に構成されたパチンコ遊技機に本発明を適用した例を示したが、上皿５４の上面がカバー部材で封鎖された構造或いは上皿を設けることなく発射装置へ遊技球が供給される構造を有し且つ獲得された賞球数がポイントカードに書き込まれるように構成された封入式と称されるパチンコ遊技機に本発明を適用してもよい。
【００７３】
また、前記第一の実施形態では、上皿５４がガラス扉枠４に一体的に設けられる構成としたが、上皿５４が本体枠３側に設けられる構成としてもよい。本変形例によれば、貯留された遊技球によって大きな重量がかかる上皿５４が、装飾枠６０側ではなく本体枠３側に設けられているので、装飾枠６０の強度をあまり高く設定する必要がない。また、上方に開放される装飾枠６０には上皿５４が設けられていないので、上皿５４内に貯留された遊技球が装飾枠６０開放時にこぼれ落ちる事態は発生しない。
【００７４】
また、前記第一の実施形態において、窓部４１より上方部分を覆う上辺部と、窓部４１より下方部分を覆う下辺部とを別体とし、上辺部が本体枠３に対して上方へ開放され且つ下辺部が本体枠３に対して下方へ開放されるように構成してもよい。本変形例によれば、本体枠３の遊技領域１４等に対するメンテナンスの際には、上辺部のみを本体枠３に対して上方へ開放した状態で作業を行うことができ、上皿５４等のメンテナンス作業の際には、下辺部のみを本体枠３に対して下方へ開放した状態で作業を行うことができる。
【００７５】
（付記）
上述した実施形態から、以下に示す本発明の各手段を抽出することができる。以下、各手段につき、必要に応じて作用効果等を付記しつつ説明する。
１．遊技領域を有する本体枠と、その本体枠の前面側に設けられ且つ前記遊技領域を臨む窓部に透明板を装着してなる窓枠とを備えた遊技機であって、
前記窓枠の前面の少なくとも一部を覆うと共に前記本体枠に対して上下に開閉自在に取り付けられた装飾枠を備えたことを特徴とする遊技機。
手段１によれば、装飾枠により窓枠の前面の少なくとも一部を覆って窓枠と装飾枠とが前後に重層する構造を形成することにより、強度の向上を図り、不正行為を防止すると共に、視覚的効果に優れた立体的装飾の形成が可能となる。また、窓枠と装飾枠とで重量が分担されるので、それぞれの強度を高く設定することは必要とされない。また、装飾枠は重量の大きいガラス板等の透明板を有しないため相対的に軽量であり、小さな力で装飾枠を上下に軽く且つ安全に開閉することができる。よって、電動で装飾枠を開閉するための開閉駆動装置等を設ける必要がなく、遊技機全体の構成が複雑化せず且つコストを低く抑えることができる。また、ガラス板等が装着された窓枠が上方に開放される従来構成では、作業者がガラス板に頭をぶつける危険性があるが、手段１によればそのような危険性はなく、安全性が高い。さらに、装飾枠が本体枠に対して上方又は下方に開放されるので、装飾枠に大型の立体的装飾が施された場合でも、隣の遊技者の邪魔にならずに装飾枠を大きく開放することができる。
【００７６】
２．前記装飾枠が前記本体枠に対して上方へ開放されるように構成されたことを特徴とする手段１に記載の遊技機。
手段２によれば、装飾枠が本体枠に対して上方へ開放されるように構成されているので、隣の遊技者の邪魔にならずに装飾枠を大きく上方へ開放した状態で、本体枠の遊技領域等に対するメンテナンス作業を行うことができる。
【００７７】
３．前記装飾枠は、その上端がヒンジを介して前記本体枠上部に取り付けられ、前記本体枠に対して水平軸心回りに開閉自在に枢着されたことを特徴とする手段２に記載の遊技機。
手段３によれば、装飾枠は、その上端がヒンジを介して本体枠上部に取り付けられ、本体枠に対して水平軸心回りに開閉自在に枢着されているので、簡単且つ安価な構成で装飾枠を本体枠に対して上方へ開放することができる。
【００７８】
４．前記装飾枠が前記本体枠に対して下方へ開放されるように構成されたことを特徴とする手段１に記載の遊技機。
手段４によれば、装飾枠が本体枠に対して下方へ開放されるように構成されているので、隣の遊技者の邪魔にならずに装飾枠を大きく下方へ開放した状態で、本体枠の遊技領域等に対するメンテナンス作業を行うことができる。
【００７９】
５．前記装飾枠は、その下端がヒンジを介して前記本体枠下部に取り付けられ、前記本体枠に対して水平軸心回りに開閉自在に枢着されたことを特徴とする手段４に記載の遊技機。
手段５によれば、装飾枠は、その下端がヒンジを介して本体枠下部に取り付けられ、本体枠に対して水平軸心回りに開閉自在に枢着されているので、簡単且つ安価な構成で装飾枠を本体枠に対して下方へ開放することができる。
【００８０】
６．前記装飾枠を前記本体枠側へ閉じた状態でロックするロック手段を備えたことを特徴とする手段１乃至５のいずれかに記載の遊技機。
手段６によれば、装飾枠が本体枠側へ閉じた状態でロック手段によりロックされるので、装飾枠が不正に又は誤って開放されることを確実に防止することができる。
【００８１】
７．前記装飾枠を開放位置に保持する開放位置保持手段を備えたことを特徴とする手段１乃至６のいずれかに記載の遊技機。
手段７によれば、開放位置保持手段によって装飾枠が開放位置に保持された状態で窓枠を開放して本体枠の遊技領域等のメンテナンス作業を容易に行うことができる。
【００８２】
８．前記窓枠は、前記本体枠に対して左右に開閉自在に取り付けられ、
前記開放位置保持手段は、上方に開放された前記装飾枠を、左側又は右側に開放された前記窓枠の上端にて固定支持することを特徴とする手段７に記載の遊技機。
手段８によれば、開放位置保持手段は、上方に開放された装飾枠を、左側又は右側に開放された窓枠の上端にて固定支持するので、固定保持用の棒状部材等を別途設けることなく、窓枠を利用して装飾枠を開放位置に保持することができる。
【００８３】
９．前記装飾枠は、前記窓枠における少なくとも前記窓部より上方部分を覆うことを特徴とする手段１乃至８のいずれかに記載の遊技機。
手段９によれば、窓枠における少なくとも窓部より上方部分が装飾枠によって覆われるので、窓部より上方部分における強度の向上を図りつつ視覚的効果に優れた立体的装飾を形成することができる。
【００８４】
１０．前記装飾枠において前記窓枠の前記窓部より上方部分を覆う上辺部が前記本体枠に対して上方へ開放されるように構成されたことを特徴とする手段９に記載の遊技機。
手段１０によれば、窓枠の窓部より上方部分を覆う上辺部を本体枠に対して上方へ開放した状態で、本体枠の遊技領域等に対するメンテナンス作業を行うことができる。
【００８５】
１１．前記装飾枠は、前記窓枠における少なくとも前記窓部より下方部分を覆うことを特徴とする手段１乃至１０のいずれかに記載の遊技機。
手段１１によれば、窓枠における少なくとも窓部より下方部分が装飾枠によって覆われるので、窓部より下方部分における強度の向上を図りつつ視覚的効果に優れた立体的装飾を形成することができる。
【００８６】
１２．前記装飾枠において前記窓枠の前記窓部より下方部分を覆う下辺部が前記本体枠に対して下方へ開放されるように構成されたことを特徴とする手段１１に記載の遊技機。
手段１２によれば、窓枠の窓部より下方部分を覆う下辺部を本体枠に対して下方へ開放した状態で、上皿等に対するメンテナンス作業を行うことができる。
【００８７】
１３．前記装飾枠が、前記窓枠の下端部より下方へ延設されたことを特徴とする手段１乃至１２のいずれかに記載の遊技機。
手段１３によれば、装飾枠が窓枠の下端部より下方へ延設されているので、窓枠より下端に延設された大型の立体的装飾を形成することができる。
【００８８】
１４．前記装飾枠は、前記窓枠における前記窓部より上方部分を覆う上辺部と、前記窓部より下方部分を覆う下辺部とを備え、前記上辺部と前記下辺部とが左右両側で上下に連結されたことを特徴とする手段１乃至１３のいずれかに記載の遊技機。
手段１４によれば、窓枠における窓部より上方部分及び下方部分が、装飾枠の上辺部及び下辺部によって覆われるので、窓枠において窓部を挟んで対向する上方部分及び下方部分により大型の立体的装飾を形成することができる。また、装飾枠の上辺部と下辺部とが連結されて全体が一体化されることにより装飾枠の強度が向上される。
【００８９】
１５．前記装飾枠は、前記上辺部から前記下辺部まで連続的に装飾が施されたことを特徴とする手段１４に記載の遊技機。
手段１５によれば、装飾枠の上辺部から下辺部まで連続的に装飾が施されているので、視覚的効果に優れた立体的装飾を形成することができる。尚、連続的な装飾は、例えば、発光ダイオードや電球等の電飾部材を上辺部から下辺部まで多数個配置することにより形成してもよい。
【００９０】
１６．前記装飾枠は、前記窓枠における前記窓部より上方部分を覆う上辺部と、前記窓部より下方部分を覆う下辺部とを備え、前記上辺部が前記本体枠に対して上方へ開放され且つ前記下辺部が前記本体枠に対して下方へ開放されるように構成されたことを特徴とする手段１乃至１３のいずれかに記載の遊技機。
手段１６によれば、窓枠における窓部より上方部分及び下方部分が、装飾枠の上辺部及び下辺部によって覆われるので、窓枠において窓部を挟んで対向する上方部分及び下方部分により大型の立体的装飾を形成することができる。また、本体枠の遊技領域等に対するメンテナンスの際には、上辺部のみを本体枠に対して上方へ開放した状態で作業を行うことができ、上皿等のメンテナンス作業の際には、下辺部のみを本体枠に対して下方へ開放した状態で作業を行うことができる。
【００９１】
１７．前記本体枠より払い出された遊技球及び遊技者により投入された遊技球を貯留する上皿が前記窓枠に設けられたことを特徴とする手段１乃至１６のいずれかに記載の遊技機。
手段１７によれば、貯留された遊技球によって大きな重量がかかる上皿が、装飾枠側ではなく窓枠側に設けられているので、装飾枠の強度をあまり高く設定する必要がない。また、上方又は下方に開放される装飾枠には上皿が設けられていないので、上皿内に貯留された遊技球が装飾枠開放時にこぼれ落ちる事態は発生しない。
【００９２】
１８．前記本体枠より払い出された遊技球及び遊技者により投入された遊技球を貯留する上皿が前記本体枠に設けられたことを特徴とする手段１乃至１６のいずれかに記載の遊技機。
手段１８によれば、貯留された遊技球によって大きな重量がかかる上皿が、装飾枠側ではなく本体枠側に設けられているので、装飾枠の強度をあまり高く設定する必要がない。また、上方又は下方に開放される装飾枠には上皿が設けられていないので、上皿内に貯留された遊技球が装飾枠開放時にこぼれ落ちる事態は発生しない。
【００９３】
１９．前記装飾枠に前記上皿の少なくとも一部を覆う膨出部が形成されたことを特徴とする手段１７又は１８に記載の遊技機。
手段１９によれば、窓枠又は本体枠に設けられた上皿の少なくとも一部が、装飾枠に形成された膨出部によって覆われるので、上皿を補強しつつ立体的装飾を形成することができる。
【００９４】
２０．前記装飾枠の少なくとも一部が透明材料によって構成されたことを特徴とする手段１乃至１９のいずれかに記載の遊技機。
手段２０によれば、装飾枠の少なくとも一部を構成する透明材料を介して窓枠が視認されるので、窓枠と装飾枠とが前後に重層する視覚的効果に優れた立体的装飾を形成することができる。
【００９５】
２１．前記装飾枠の少なくとも一部に開口又は切り欠きが形成されたことを特徴とする手段１乃至２０のいずれかに記載の遊技機。
手段２１によれば、装飾枠の少なくとも一部に形成された開口又は切り欠きを介して窓枠が視認されるので、窓枠と装飾枠とが前後に重層した視覚的効果に優れた立体的装飾を形成することができる。
【００９６】
２２．前記装飾枠には、前記窓枠に設けられた前記窓部に対応する開口又は切り欠きが形成されたことを特徴とする手段２１に記載の遊技機。
手段２２によれば、窓枠の窓部に装着された透明板が、装飾枠の開口又は切り欠きより外部に露出するので、遊技者は透明板を介して遊技領域を確実に視認することができる。
【００９７】
２３．前記窓枠には、遊技者によって操作される操作部が設けられ、
前記装飾枠は、前記窓部に設けられた前記操作部に対応する開口又は切り欠きが形成されたことを特徴とする手段２１に記載の遊技機。
手段２３によれば、窓枠に設けられた操作部が装飾枠の開口又は切り欠きより外部に露出するので、遊技者は操作部を確実に操作することができる。例えば、貸し球に関する操作を行うための貸し球操作部を窓枠に設け、その貸し球操作部に対応する開口又は切り欠きを形成する構成としてもよい。
【００９８】
２４．前記装飾枠は、前方へ張り出し且つ前記窓枠との間に空間部を有する張出し部を備えたことを特徴とする手段１乃至２３のいずれかに記載の遊技機。
手段２４によれば、窓枠と装飾枠の張出し部とが前後に重層した視覚的効果に優れた立体的装飾を形成することができる。また、張出し部によって立体的構造が形成されることにより、各種部材の配設スペースを拡大することができる。すなわち、装飾枠の張出し部と窓枠との間に形成される空間部内を、遊技領域を臨む窓部の一部や各種部材の配設スペースとして活用しつつ、前方へ立体的に設けられた張出し部に表示部や音声出力部等の各種部材を配設することができるので、遊技機前面における各種部材の配設スペースを確実に拡大することができる。また、張出し部の空間部を通して下方に光が取り込まれるので、張出し部の下方が暗くなって遊技に支障を来たすことが防止される。
【００９９】
２５．前記張出し部は、装飾枠の一端側から他端側へ跨って設けられるアーチ状に形成されたことを特徴とする手段２４に記載の遊技機。
手段２５によれば、張出し部が装飾枠の一端側から他端側へ（例えば、左右方向に）跨って設けられるアーチ状に形成されているので、大型の立体的装飾を形成することができると共に、各種部材の配設スペースを大幅に拡大することができる。
【０１００】
２６．前記装飾枠の下端部が前記本体枠側で支持されるように構成されたことを特徴とする手段１乃至２５のいずれかに記載の遊技機。
手段２６によれば、装飾枠の下端部が本体枠側で（本体枠又は本体枠が取り付けられる外枠で）支持されるので、装飾枠を本体枠側へ閉じた状態での安定性が確保される。
【０１０１】
２７．前記装飾枠に、電飾部材又は表示部材を配設したことを特徴とする手段１乃至２６のいずれかに記載の遊技機。
手段２７によれば、電飾部材又は表示部材が装飾枠に配設されることによって発光又は画面表示を伴う視覚的効果に優れた立体的装飾が形成される。尚、電飾部材は、例えば、発光ダイオードや電球を用いて構成してもよい。また、表示部材は、例えば、液晶ディスプレイやＥＬパネルを用いて構成してもよい。
【０１０２】
２８．前記窓枠及び前記装飾枠の両方に電飾部材又は表示部材を設けたことを特徴とする手段２７に記載の遊技機。
手段２８によれば、前後に重層する窓枠及び装飾枠の両方に電飾部材又は表示部材を設けることによって発光又は画面表示を伴う視覚的効果に優れた立体的装飾を形成することができる。
【０１０３】
２９．前記窓枠に電飾部材又は表示部材を設け、前記装飾枠の前記電飾部材又は表示部材に対応する箇所に透明部材、開口又は切り欠きを設けたことを特徴とする手段１乃至２８のいずれかに記載の遊技機。
手段２９によれば、窓枠に設けられた電飾部材による光又は表示部材による画面表示が、装飾枠に設けられた透明部材、開口又は切り欠きを介して視認されるので、発光又は画面表示を伴う立体的な視覚効果の高い装飾を形成することができる。
【０１０４】
３０．前記遊技機は、パチンコ遊技機であることを特徴とする手段１乃至２９のいずれかに記載の遊技機。
手段３０によれば、パチンコ遊技機において、装飾枠により窓枠の前面の少なくとも一部を覆って窓枠と装飾枠とが前後に重層する構造を形成することにより、強度の向上を図り、不正行為を防止すると共に、視覚的効果に優れた立体的装飾の形成が可能となる。
【０１０５】
３１．前記遊技機は、複数種類の図柄が表示された複数の回転リールを有し、前記各回転リールの回転停止時の図柄の組合わせに基づく入賞態様に応じて遊技球が払い出されるパチロット遊技機であることを特徴とする手段１乃至２９のいずれかに記載の遊技機。
手段３１によれば、パチロット遊技機において、装飾枠により窓枠の前面の少なくとも一部を覆って窓枠と装飾枠とが前後に重層する構造を形成することにより、強度の向上を図り、不正行為を防止すると共に、視覚的効果に優れた立体的装飾の形成が可能となる。
【０１０６】
３２．前記遊技機は、スロットマシンであることを特徴とする手段１乃至２９のいずれかに記載の遊技機。
手段３２によれば、スロットマシンにおいて、装飾枠により窓枠の前面の少なくとも一部を覆って窓枠と装飾枠とが前後に重層する構造を形成することにより、強度の向上を図り、不正行為を防止すると共に、視覚的効果に優れた立体的装飾の形成が可能となる。
【産業上の利用可能性】
【０１０７】
本発明は、パチンコ遊技機、スロットマシン、パチロット遊技機等の各種の遊技機に適用可能である。
【符号の説明】
【０１０８】
１ パチンコ遊技機（遊技機）
２ 外枠
３ 本体枠
４ ガラス扉枠（窓枠）
１４ 遊技領域
４１ 窓部
４２ ガラス板（透明板）
６０ 装飾枠
６１ 張出し部
６１ｈ 空間部
６２ 電飾部
６２’ 発光ダイオード
６５ ヒンジ
１０１ パチロット遊技機（遊技機）
１１４ 遊技領域
１２０ 本体枠
１４０ フロントパネル（窓枠）
１４３ 表示窓（窓部）
１４３ａ ガラス板（透明板）
１６０ 装飾パネル（装飾枠）
１６１ 張出し部
１６１ｈ 空間部
１６５ ヒンジ
２０１ スロットマシン（遊技機）
２１４ 遊技領域
２２０ 本体キャビネット（本体枠）
２４０ フロントパネル（窓枠）
２４３ 表示窓（窓部）
２４３ａ ガラス板（透明板）
２６０ 装飾パネル（装飾枠）
２６１ 張出し部
２６１ｈ 空間部
２６５ ヒンジ
【図１】
2010259911.tif 000003
【図２】
2010259911.tif 000004
【図３】
2010259911.tif 000005
【図４】
2010259911.tif 000006
【図５】
2010259911.tif 000007
【図６】
2010259911.tif 000008
【図７】
2010259911.tif 000009
【図８】
2010259911.tif 000010
【図９】
2010259911.tif 000011
【図１０】
2010259911.tif 000012
【図１１】
2010259911.tif 000013
【図１２】
2010259911.tif 000014
【図１３】
2010259911.tif 000015
【図１４】
2010259911.tif 000016
【図１５】
2010259911.tif 000017
【図１６】
2010259911.tif 000018
【図１７】
2010259911.tif 000019
【図１８】
2010259911.tif 000020
【図１９】
2010259911.tif 000021
【図２０】
2010259911.tif 000022
【図２１】
2010259911.tif 000023
【図２２】
2010259911.tif 000024